(57)【要約】【課題】屋根やハウスに積もった雪、又は、山の斜面等に積もった危険場所の雪下ろしが地上にいて、任意に、又簡単に、かつ安全に出来る方法を提供する。  【解決手段】撥水性があり耐熱性が低く、発熱体の一定の温度で破断するシートに前記シートの片面に所用パターンに取り付けられる電源を持ちスイッチを介して発熱する電熱線に、電熱線の上を覆う断熱効果のある覆い材をかぶせ、電熱線のスイッチをリモコンを使用して入れたとき、シートが一定の温度になると熱で切断され、シートと雪を一緒に落とすことを特徴とする雪降ろしシートを所用枚数重ねて屋根又は山の斜面等の危険場所に取り付け、上のシートから順次切断して任意に雪を落とすようにする。  【選択図】    図３
2008031833.tif 000002
【特許請求の範囲】
【請求項１】
雪下ろしが必要となる傾斜面の形状に略一致した形状のシート材を備えて前記傾斜面に被覆状態で取り付けられ、積雪が所定量に達した場合に所定の切断線位置で切断することにより、前記切断線よりも下側部分または前記切断線で囲まれた部分である切り離し部を、積載した雪とともに前記傾斜面上を滑落させて雪下ろしを行う雪下ろしシートであって、
少なくとも前記切断線に沿う部分は、所定温度で熱溶融する樹脂製の膜材からなり、前記切断線に沿って配置した線状の導電性発熱体に通電し前記所定温度以上とすることにより熱溶融して切断される、ことを特徴とする雪下ろしシート。
【請求項２】
前記切り離し部の下面に密着するように前記傾斜面の形状に略一致して該傾斜面上に配置される固定シートを備えており、前記切り離し部以外の部分の所定箇所が前記固定シート側に固定され、且つ、該固定シートの上面と前記切り離し部下面との間の滑り方向の摩擦抵抗が該固定シートの下面と前記傾斜面との間の滑り方向の摩擦抵抗よりも小さくなるように設定されており、前記切り離し部を切り離す雪降ろし時に、前記固定シートは傾斜面から滑落しないことを特徴とする、請求項１に記載した雪下ろしシート。
【請求項３】
前記切断線に沿う部分及び前記導電性発熱体の上側又は上下側には、所定の素材からなる断熱シートが前記切断線に沿うように所定幅で配設され、前記導電性発熱体で発生した熱の上方への漏洩量を減少させる者とした、事を特徴とする請求項１又は２に記載した雪下ろしシート。
【請求項４】
前記切り離し部の所定部分から牽引用の綱状部材が延設されており雪下ろし時に該綱状部材を下から牽引することにより滑落を促進させる、ことを特徴とする請求項１、２または３に記載した雪下ろしシート。
【請求項５】
前記導電性発熱体から電線が延設されており所定の電源手段に接続することでヒータ回路を形成し、所定のスイッチ手段で遠隔的に操作することにより、前記導電性発熱体への通電をＯＮ／ＯＦＦ制御する、ことを特徴とする請求項１、２、３、または４に記載した雪下ろしシート。
【請求項６】
前記導電性発熱体は電熱線であり、前記切断線に樹脂製の膜材に一体的に付設又は埋設されている、ことを特徴とする請求項１、２、３、４または５に記載した雪下ろしシート。
【請求項７】
前記切り離し部を備えたシート材が前記シート上に複数枚重畳して設けられ、前記切り離し部以外の所定箇所を互いに連結又は前記固定シート側に固定されており、且つ、前記切り離し部の上面と該上面に接する他の切り離し部の下面との間の滑り方向の摩擦抵抗が、前記固定シートの下面と前記傾斜面との間の滑り方向の摩擦抵抗よりも小かくなるように設定されたものであり、前記傾斜面に取り付けることにより、雪下ろしの度に上から順に前記切り離しシートが各々切断されて滑落することを特徴とする請求項１、２、３、４、５または６に記載した雪下ろしシート。
【発明の詳細な説明】
【技術分野】
【０００１】
本発明は、雪降ろしシートに関するものである。
【背景技術】
【０００２】
雪国において屋根やハウスの雪下ろしは、重労働で危険でもあり大変な作業である。又家の近くの山の斜面など危険な場所の積雪は、早めに雪対策をする必要がある。しかし、人力でする場合が多かった。その為、特開２００３−２０６６０１のように屋根材を光触媒にして屋根の表面の雪を溶かしたり、特開２００２−３３９５２９のようにパイプを屋根に設置しパイプ内にベルト状の電熱線を発熱させて回転させ溶かすものや、特開０５−１７９８３６のようにヒートパイプ式の融雪装置があった。又、実用平０２−００２４５５のようにシートの一部に袋状の気室を作りそれをふくらませて雪を斜面から落とす様にする物があった。また、屋根全体に温水を流す様にするものがあった。しかし、いずれも設備が大がかりになったり、雪が積み重なってしまうと、効果をだすのに時間が掛かり大量の雪には適さないと思われる。雪が適切な高さに積もったときに、効率よくすぐに処理できるものはなかった。
【特許文献１】実開平０２−００２４５５
【特許文献２】実開平０２−００２４５４
【特許文献３】実開平０１−１７９９６４
【特許文献４】実開昭６３−１９０３２１
【特許文献５】実開昭６３−７３１０５
【特許文献６】実開昭６１−１４７８１５
【特許文献７】実開昭６１−０８３７２２
【特許文献８】実登３０４３９５６
【発明の開示】
【発明が解決しようとする課題】
【０００３】
雪降ろしの重労働をなくす為、雪降ろしがいつでも任意に、又簡単に、かつ安全に出来る方法を提供する。
【課題を解決するための手段】
【０００４】
雪下ろしが必要となる傾斜面の形状に略一致した形状のシート材を備えて前記傾斜面に被覆状態で取り付けられ、積雪が所定量に達した場合に所定の切断線位置で切断することにより、前記切断線よりも下側部分または前記切断線で囲まれた部分である切り離し部を、積載した雪とともに前記傾斜面上を滑落させて雪下ろしを行う雪下ろしシートであって、
少なくとも前記切断線に沿う部分は、所定温度で熱溶融する樹脂製の膜材からなり、前記切断線に沿って配置した線状の導電性発熱体に通電し前記所定温度以上とすることにより熱溶融して切断されるので一度に瞬間的に雪下ろしができる。
【０００５】
前記切り離し部の下面に密着するように前記傾斜面の形状に略一致して該傾斜面上に配置される固定シートを備えており、前記切り離し部以外の部分の所定箇所が前記固定シート側に固定され、且つ、該固定シートの上面と前記切り離し部下面との間の滑り方向の摩擦抵抗が該こていシートの下面と前記切り離し部下面との間の滑り方向の摩擦抵抗よりも小さくなるように設定されており、前記切り離し部を切り離す雪降ろし時に、前記固定シートは傾斜面から滑落しないようにすることで、残留するシートを雪の圧力や重さからのダメージから守り、スムーズな雪下ろしを可能にする。
【０００６】
前記切断線に沿う部分及び前記導電性発熱体の上側又は上下側には、所定の素材からなる断熱シートが前記切断線に沿うように所定幅で配設され、前記導電性発熱体で発生した熱の上方への漏洩量を減少させる者とすることで、シートを重ねて使用できる。又前記導電性発熱体を発熱させたとき、前記導電性発熱体の上下にあるシートに熱影響を減少させる。
【０００７】
前記切り離し部の所定部分から牽引用の綱状部材が延設されており雪下ろし時に該綱状部材を下から牽引することにより滑落を促進させ、雪の滑り出しを助ける。
【０００８】
前記導電性発熱体から電線が延設されており所定の電源手段に接続することでヒータ回路を形成し、所定のスイッチ手段で遠隔的に操作することにより、前記導電性発熱体への通電をＯＮ／ＯＦＦ制御することが出来るので、任意に且つ安全に雪降ろしができる。
【０００９】
前記導電性発熱体は電熱線であり、前記切断線に樹脂製の膜材に一体的に付設又は埋設されているのでシートを切断したとき、雪と一緒に電熱線が落下し屋根に残らない。
【００１０】
前記切り離し部を備えたシート材が前記シート上に複数枚重畳して設けられ、前記切り離し部以外の所定箇所を互いに連結又は前記固定シート側に固定されており、且つ、前記切り離し部の上面と該上面に接する他の切り離し部の下面との間の滑り方向の摩擦抵抗が、前記固定シートの下面と前記傾斜面との間の滑り方向の摩擦抵抗よりも小さくなるように設定されたものであり、前記傾斜面に取り付けることにより、雪下ろしの度に上から順に前記切り離しシートが各々切断されて滑落するようにすることで、重なるシートが雪の重さからのダメージを減らし、また上から順次きりはなすことで、積雪量を任意に調節出来る。
【発明の効果】
【００１１】
これにより、屋根に上がらずに雪降ろしが出来て、作業が軽減される。また任意に雪降ろしが出来るので、便利であり、急に雪が落ちて埋まる等の危険がさけられ、家の倒壊も防げる。
【発明を実施するための最良の形態】
【００１２】
固定シートは柔軟性をもち耐熱性があり、撥水性のある丈夫な素材がよい。固定シートは出来れば柔軟性があるもので作ることで雪を屋根の形状に沿って受け止め、それにより、急に突然雪が落ちるのを防止したり、雪止めの働きを押さえない。柔軟性は雪の体積を屋根の形状にそって受け止めることができ、でもよい。固定シートの表面はフッ素樹脂加工などの摩擦抵抗の少ないものとし裏面は摩擦抵抗の大きい素材になるように作り、裏面を屋根等に取り付ける。固定シートと設置する場所の摩擦抵抗を高め、固定シートの上面と切断する部分を持つシートの摩擦抵抗は低めにする。切断するシートの素材はビニール、ナイロン、ポリエチレン等何でもよいが、電熱線を設置する部分は溶融し易い者を使用すると低温で切断出来る。      シートはビニールハウスに使用する薄さでも十分に雪の重さに耐えうるので、薄い素材でも厚みのあるものでも良いが、所用枚数を重ねて１セットにする場合は、０．５から２ミリメートルの厚さが良いとおもわれる。屋根の形状は様々なので、電熱線の取り付けパターンはいろいろ考えられるが、シートが２枚から４枚に分割されるように取り付けるのが良い。枚数を多く破断させると積雪の落下をコントロール出来ないおそれがある。電熱線は紙や薄いテープで貼り付けるかホチキスで留めるかして、電熱線が発熱したとき電熱線がシートからすぐ離れ積雪と一緒に落下するようにとりつける。一方で発熱に耐える金属、繊維、金具、紐、ロープ等で数カ所を電熱線を挟んで切断線より離れた基盤シートの別場所に取り付け、固定することで、電熱線が屋根や斜面に残らずに積雪と一緒に落下する。これにより、破断されたシートごとに、電熱線を回収し火事等の危険から守る。撥水性は積もった雪が解けて、シートの裏側に浸みて重ねたシートの間が凍り付かないようにするために必要である。それと同時に、重ねたシートの摩擦を少なくし、シートを切断したとき滑り易い様にする。耐熱性においては、電熱線の発熱温度を何度に設定するかにより決まるが、低い温度で切断出来ればよりよいと思う。
【００１３】
覆い材は電熱線の熱がシートにだけ伝わり覆い材の上には伝わらないようにすると同時に、雪の冷えや寒さから電熱線を守る。シートを重ねた時、上に重ねたシートに熱が伝わらないので電熱線を取り付けたシートのみが切断される。覆い材の大きさは、電熱線の全長を覆い、幅は、２０■位が良いと思うが広くてもかまわない。材質はアルミシートやガラ
ス繊維の入ったシートや耐熱塗料を塗布した素材で作ったシート等何でも良い。
【００１４】
シートの辺縁部又はその周辺に丈夫な紐、ロープ、テープを付けそれでシートを屋根の軒先や庇の部分に取り付ける様にする。これにより、シートが風で飛ばない様に固定する。又屋根の傾斜に沿って覆うシートの紐、ロープ、テープ等は、切断したときのシートを引くための働きもする。シートは雪の重さで落ちてくるが、滑り出しを助けるために紐やロープ、テープを引くと確実に落ちてくる。
【００１５】
電熱線のスイッチはリモコンで操作出来るようにシートに取り付けてもよいし、配線を伸ばして軒先等で操作出来る様にしてもよい。スイッチは一定の時間発熱すると自動的に電源が切れる様にすることで安全性を高めることが出来る。通常６０秒以内で基盤シートの切断が行えるとよいが、電熱線とシートの厚さや素材で変わってくる。又スイッチは、リモコンでシートごとに特定出来るように番号を付けたり作動する部分を特定出来るようにすることで、上のシートから順次切断することが可能になる。配線を伸ばして軒先等で電源を入り切りする場合は、数個のスイッチがあるので間違えない様にスイッチに番号や記号を付けるか、又は色や形状を変えることで個別化するとよい。
【００１６】
シートに電熱線を取り付けるときは、発熱で溶けるテープや紙、又はホチキスの様に簡単に留められて外れやすいもので留めるのがよい。しかし同時にもう一つの取り付け手段として、耐熱性のある一本の金属、繊維等で電熱線（切断線）の上下をはさむように通して、切断線より離れた所に、両端を固定する。そのようにして電熱線が取れないように何カ所か留めてゆくことで、シートが切断されたとき電熱線が屋根に残らずシートと同時に落ちてくる。電熱線を発熱させる手段は電気毛布と同じようにすればよい。そのとき、電気の配線も同時に落ちるように取り付ける。取り付けた電熱線の上を、耐熱性と絶縁性を持つ素材で覆いかぶせる。テープ、繊維、耐熱シート何でもよいが、電熱線（切断線）をまたいで左右を固定するが、破断されたとき電熱線がついた状態で落ちるシート側は確実に固定し、その反対側は粘着性の低い接着材やテープで留め、落下を妨げない様にする。電熱線は屋根の形状により、シート面に１から複数つけるが、シートの形は長方形、正方形等任意の形でよく、大きさも自由に作れる。
【００１７】
固定シートと切り離し部を持つシートとの摩擦抵抗の違いは重要で固定シートと傾斜面の摩擦抵抗は一番大きく、離し部を持つシート間の摩擦抵抗は出来るだけ少ない、例えば、フッ素樹脂加工された面を持つシート等がよい。所用枚数のシートを重ねて、シートの１部を圧縮し熱で接着することで、シートは動かないように固定される。それを１セットとし、屋根に取り付けるか、又は、所用枚数の基盤シートを重ねて取り付ける事もできる。そのとき、１番上の基盤シートから順次切断することで雪を何回かに分け、かつ必要と思う時にすぐに雪下ろしが出来る。リモコンのスイッチもセットで１個にして取り付けることが出来る。                                                                        
【００１８】
シートを破断させる方法の１つとして、電熱線を発熱でとける樹脂にひたして膜を作ったり、発熱で溶けるテープを巻き付けて、それと普通の糸で基盤シートをミシンで縫うようにして縫い合わせてから発熱させると、シートは破断する。又特殊な縫合で１方の紐や糸を引くと、縫い目が開き破断する方法でシートを縫合する方法もある。
【実施例１】
【００１９】
以下、本発明の実施の形態を図面にもとずいて説明する。図１は１の切断するシート１に３の発熱体又は電熱線を図のようにとりつけたもので、電熱線３をまたいで４の耐熱性と絶縁性を持った金属又は繊維で、電熱線より離れた所に何カ所か留めて固定し、これにより切断時に電熱線が分割されたシートと一緒に落ちてくる。又その上を２の覆い材で覆うことで、電熱線の発熱時の熱を覆い材の上に伝えないので、シートを重ねても下のシートが切断されることがない。７はリモコンで操作出来る様に取り付けた電熱線のスイッチで６は電気の配線を示す。６の電線には、往復の電気配線が一つになっている。８は基盤シートの辺縁部に取り付けたロープを示しこれで屋根に固定する。
【００２０】
図２は、正方形の屋根に取り付ける基盤シートを破断させた例を示し、１の基盤シートは真ん中中心部分が切り取られ、そこに３の電熱線が２本山型に取り付けてある。これにより基盤シートは電熱線が発熱したとき４分割され雪と一緒に落下する。５は手動で電源を入れる為のスイッチで６の配線を伸ばして５のスイッチが手で届き易いように取り付ける。１５は電熱線に沿って破断された切断面を示しシートは落下する。
【００２１】
図３は基盤シート１枚を屋根に取り付けたところで、電熱線３（切断線）ができるだけ屋根の頂上の近くに設置することで雪が落としやすくなる。スイッチ５は防水が必要になり、基盤シートに付いていなくてもよい。配線を伸ばしてスイッチ５のように雪が直接掛からない所に付けるようにすると故障しないで良いと思う。
【００２２】
図４は雪降ろしシートを雪の落下が予想される危険な場所や山の斜面に取り付けた物で、９は道を１０は山の斜面を示す。此のシートは電熱線が一方の端に付いている事を特徴とし、切断した時切断線の上部１１がそのまま残っているようになることを特徴とする。
これは、家の近くの危険な場所に取り付けて、適時上のシートから切断して雪を落下させる事で危険を回避出来る。そのとき電熱線は切断線の上部１１上に付いたまま落下させないで残るように取り付ける方法もある。これにより、後日、雪がなくなったときに電熱線をまとめて回収することが出来る。
【００２３】
図６は電熱線をシートに一体に埋設したものであり、かつ１６は溶融しやすい素材をシートの部分に付設したものである。１７は電線で発熱はしない。
【図面の簡単な説明】
【００２４】
【図１】電熱線をとりつけ覆い材を付けた基盤シート。
【図２】破断させた基盤シート。
【図３】屋根に雪降ろしシートを取り付けた斜傾図。
【図４】山の斜面に雪降ろしシートを取り付けた斜傾図。
【図５】一方を接着しシート上の物がこぼれないようにしたシート。
【図６】切断する部分を持つシートで電熱線を一体に付設したシート
【符号の説明】
【００２５】
１・・・基盤シート
２・・・覆い材
３・・・電熱線又は発熱体
４・・・耐熱性のある留め具
５・・・手動用電源スイッチ
６・・・電気の配線
７・・・リモコンで操作出来るスイッチ
８・・・取り付け及び引き用手段のロープ
９・・・道路
１０・・・山の斜面
１１・・・シートの落下しない部分
１２・・・シートにできるへり部分
１３・・・シートを接合した部分
１４・・・シートに繋がるシートの一部で取り付ける部分
１５・・・破断したときの切断線
１６・・・シートに一体化され付設した溶融しやすい樹脂
１７・・・埋設された電線
１８・・・固定シート
１９・・・取り付るための穴
【図１】
2008031833.tif 000003
【図２】
2008031833.tif 000004
【図３】
2008031833.tif 000005
【図４】
2008031833.tif 000006
【図５】
2008031833.tif 000007
【図６】
2008031833.tif 000008